(57)【要約】【課題】押下げヘッドの外周を覆うカバー筒を容易に開閉操作することができる液体吐出容器を提供することである。【解決手段】液体を収容する収容容器２に、押下げ操作されることにより収容容器２内の内容液を吐出する押下げヘッド１０を備えたポンプ機構Ｐを取り付け、収容容器２に該収容容器２の外周側に配置される内側筒１３を固定し、内側筒１３の外周側に該内側筒１３に対して押下げヘッド１０の外周を覆う閉位置と該押下げヘッド１０を露出させる開位置との間で押下げヘッド１０の押下げ方向に平行な方向に相対移動自在にカバー筒１４を装着し、収容容器２とカバー筒１４との間にカバー筒１４を閉位置に向けて付勢するスプリング１５を設け、内側筒１３にカバー筒１４が開位置となったときに該カバー筒１４に設けられた保持孔３６に係合してカバー筒１４を開位置に保持する保持爪３４を設ける。【選択図】図１
2014028637.tif 000002
【特許請求の範囲】
【請求項１】
液体を収容する収容容器と、押下げ操作されることにより前記収容容器内の内容液を吐出する押下げヘッドとを備えた液体吐出容器であって、
前記収容容器に固定され、該収容容器の外周側に配置される内側筒と、
前記内側筒の外周側に装着され、該内側筒に対して、前記押下げヘッドの外周を覆う閉位置と該押下げヘッドを露出させる開位置との間で、前記押下げヘッドの押下げ方向に平行な方向に相対移動自在のカバー筒と、
前記収容容器と前記カバー筒との間に設けられ、前記カバー筒を前記閉位置に向けて付勢する付勢部材と、
前記内側筒または前記カバー筒の何れか一方に設けられ、前記カバー筒が前記開位置となったときに、前記内側筒または前記カバー筒の何れか他方に設けられた保持凹部に係合して、該カバー筒を前記開位置に保持する保持凸部と、を有することを特徴とする液体吐出容器。
【請求項２】
請求項１記載の液体吐出容器において、前記押下げヘッドに、該押下げヘッドの押下げ方向に垂直な方向に向けて突出するノズルを設け、前記カバー筒が前記閉位置にあるときに、前記ノズルの押下げ方向下側を向く面に当接する突出壁を前記カバー筒に設けたことを特徴とする液体吐出容器。
【請求項３】
請求項１または２記載の液体吐出容器において、前記保持凸部を前記保持凹部から離脱させる方向に操作可能な操作片を前記カバー筒に設けたことを特徴とする液体吐出容器。
【発明の詳細な説明】
【技術分野】
【０００１】
本発明は、押下げヘッドの押下げ操作により、収容容器に収容した内容液をノズルから吐出する液体吐出容器に関する。
【背景技術】
【０００２】
従来から、この種の液体吐出容器は、例えば乳液や整髪料等の液体化粧品などの液体を収容する容器として多く用いられている。
【０００３】
このような押下げヘッド付きの液体吐出容器は、例えばカバン等に入れて持ち運ぶ際などでは、押下げヘッドが不意に押されて、内容液が誤って吐出されるおそれがある。そこで、収容容器の外周側にカバー筒を装着し、不使用時には、このカバー筒により、押下げヘッドの外周を覆って、押下げヘッドが不意に押されるのを防止するようにした液体吐出容器が開発されている。
【０００４】
例えば、特許文献１には、収容容器の外周側に装着したカバー筒の内周面に係合突子を設け、この係合突子を、収容容器の胴部に設けた螺旋状の案内溝に係合させた構成とし、不使用時には、カバー筒により押下げヘッドの外周を覆ってその誤操作を防止するとともに、使用の際には、カバー筒を回転操作することにより、当該カバー筒を収容容器に対して回転下降させて、押下げヘッドを使用可能な状態にまで露出させることができるようにした液体吐出容器が記載されている。
【先行技術文献】
【特許文献】
【０００５】
【特許文献１】特開２０１１−１３６７２２号公報
【発明の概要】
【発明が解決しようとする課題】
【０００６】
しかしながら、上記従来の液体吐出容器では、カバー筒を開閉するためには、一方の手で収容容器を保持しつつ、他方の手でカバー筒を掴んで回転操作を行う必要があるので、その操作に両手が必要であり、さらに容易にカバー筒の操作を行うことができる液体吐出容器が求められていた。
【０００７】
本発明の目的とするところは、押下げヘッドの外周を覆うカバー筒を容易に開閉操作することができる液体吐出容器を提供することにある。
【課題を解決するための手段】
【０００８】
本発明の液体吐出容器は、液体を収容する収容容器と、押下げ操作されることにより前記収容容器内の内容液を吐出する押下げヘッドとを備えた液体吐出容器であって、前記収容容器に固定され、該収容容器の外周側に配置される内側筒と、前記内側筒の外周側に装着され、該内側筒に対して、前記押下げヘッドの外周を覆う閉位置と該押下げヘッドを露出させる開位置との間で、前記押下げヘッドの押下げ方向に平行な方向に相対移動自在のカバー筒と、前記収容容器と前記カバー筒との間に設けられ、前記カバー筒を前記閉位置に向けて付勢する付勢部材と、前記内側筒または前記カバー筒の何れか一方に設けられ、前記カバー筒が前記開位置となったときに、前記内側筒または前記カバー筒の何れか他方に設けられた保持凹部に係合して、該カバー筒を前記開位置に保持する保持凸部と、を有することを特徴とする。
【０００９】
上記構成においては、前記押下げヘッドに、該押下げヘッドの押下げ方向に垂直な方向に向けて突出するノズルを設け、前記カバー筒が前記閉位置にあるときに、前記ノズルの押下げ方向下側を向く面に当接する突出壁を前記カバー筒に設けるのが好ましい。
【００１０】
上記構成においては、前記保持凸部を前記保持凹部から離脱させる方向に操作可能な操作片を前記カバー筒に設けるのが好ましい。
【発明の効果】
【００１１】
本発明では、収容容器に固定した内側筒の外周側に、該内側筒に対して、押下げヘッドの外周を覆う閉位置と該押下げヘッドを露出させる開位置との間で、押下げヘッドの押下げ方向と平行な方向に相対移動自在にカバー筒を装着し、付勢部材によりカバー筒を閉位置に付勢するとともに、カバー筒が開位置となったときに、内側筒またはカバー筒の何れか一方に設けた保持凸部を、これらの何れか他方に設けた保持凹部に係合させて該カバー筒を開位置に保持する構成としたことにより、カバー筒を真っ直ぐに押し下げるだけの簡単な操作で、閉じた状態のカバー筒を開いて、この液体吐出容器を使用状態にすることができる。また、使用後には、保持凸部の保持凹部への係合を解除させるだけの簡単な操作で、開いた状態のカバー筒を閉じて、この液体吐出容器を不使用状態に復帰させることができる。このように、本発明の液体吐出容器では、押下げヘッドを覆うカバー筒を容易に開閉操作することができる。
【図面の簡単な説明】
【００１２】
【図１】本発明の一実施の形態である液体吐出容器の半断面側面図である。
【図２】図１に示す液体吐出容器の平面図である。
【図３】図１に示す液体吐出容器の一部を矢視Ａから見た図である。
【図４】カバー筒の開操作時に保持凸部が保持凹部から離脱する様子を示す拡大断面図である。
【図５】図１に示す液体吐出容器のカバー筒が開位置とされた状態の半断面側面図である。
【図６】図５に示す液体吐出容器の一部を矢視Ｂから見た図である。
【図７】操作部材により、保持凸部が保持凹部から離脱する様子を示す拡大断面図である。
【発明を実施するための形態】
【００１３】
以下、図面を参照して、本発明の一実施の形態を詳細に説明する。
【００１４】
図１に示す本発明の一実施の形態である液体吐出容器は、容器本体１を備えており、この容器本体１は、収容容器２とこれに装着されたポンプ機構Ｐとを備えている。
【００１５】
収容容器２は樹脂製となっており、円筒状の胴部２ａ、胴部２ａと同心の円筒状の口部２ｂおよび胴部２ａと口部２ｂとを連ねる円錐状の肩部２ｃを備えたボトル形状に形成されている。胴部２ａの底部分は蓋部材２ｄで閉塞され、蓋部材２ｄの内側には中皿３が配置されている。この収容容器２には、例えば乳液や整髪料等の液体化粧品などの液体が内容液として収容される。
【００１６】
図示する場合では、収容容器２は樹脂製のリフィル容器となっているが、収容容器２としては、樹脂製のリフィル容器に限らず、液体を収容することができるものであれば、例えばビンや缶などを用いることもできる。
【００１７】
ポンプ機構Ｐは、装着キャップ４により、収容容器２の口部２ｂに取り付けられている。装着キャップ４は、断面Ｕ字で円環状の固定部４ａを備えており、収容容器２の口部２ｂに、ねじ付けられることにより、着脱可能に取り付けられている。なお、符号５は、装着キャップ４が取り付けられた口部２ｂからの内容液の漏れを防止するためのシール部材である。
【００１８】
ポンプ機構Ｐとしては、乳液等の比較的粘度の高い液体を吐出する、ＨＶＤ（High Viscosity Pump-Dispenser）タイプのものが用いられている。このポンプ機構Ｐは、シリンダ６とピストンガイド７とを有し、ピストンガイド７に固定されたピストン７ａがシリンダ６の内面に摺接している。また、ポンプ機構Ｐの内部には図示しないスプリングが配置され、このスプリングにより、ピストンガイド７は図１中で上方つまりシリンダ６から突出する方向に付勢されている。ピストンガイド７の上端にはステムシャフト８が固定され、ステムシャフト８内の流路８ａがピストンガイド７やシリンダ６に連通している。また、ステムシャフト８の内側には、逆止弁９が配置されている。
【００１９】
ステムシャフト８の上端には、押下げヘッド１０が固定されている。この押下げヘッド１０は、断面円形の底付き筒状に形成されたヘッド本体１０ａを有し、ヘッド本体１０ａの内側には固定筒１０ｂが一体に設けられている。固定筒１０ｂの下端部は、圧入等の手段により、ステムシャフト８の上端部に連結されており、これにより、押下げヘッド１０はステムシャフト８に固定されている。なお、固定筒１０ｂは、接着等の他の手段でステムシャフト８に固定することもできる。また、押下げヘッド１０のヘッド本体１０ａの外周には、その径方向外側（押下げヘッド３の押下げ方向に垂直な方向）に向けて突出するノズル１０ｃが一体に設けられている。このノズル１０ｃは、図２に示すように、平面視で略矩形形状となっており、図１に示すように、その内部には吐出孔１０ｄが設けられている。吐出孔１０ｄは、固定筒１０ｂを介してステムシャフト８の流路８ａに連通している。
【００２０】
図１中において一部を切欠いて示すように、ポンプ機構Ｐは、シリンダ６の上端部が装着キャップ４の固定部４ａのＵ字溝部分に差し込まれ、当該シリンダ６の上端部が抜け止め部１１によって、固定部４ａに対して抜け止め保持されることにより、装着キャップ４に固定されている。この抜け止め部１１は、例えば、圧入やアンダーカット係合等の手段を用いた構造とすることができる。
【００２１】
ステムシャフト８は、装着キャップ４の固定部４ａの内周面に摺接しており、当該固定部４ａに支持されて上下方向に移動自在である。また、ステムシャフト８の下端側の外周部には径方向外側に突出する環状の凸部８ｂが一体に設けられ、装着キャップ４の固定部４ａの内周面の上端側には、径方向内側に突出する環状の凹部４ｂが一体に設けられており、ステムシャフト８の凸部８ｂが、固定部４ａの凹部４ｂよりも図１中で下方に配置されることにより、ステムシャフト８に固定されたピストンガイド７のシリンダ６からの抜けが防止されるようになっている。
【００２２】
このような構成のポンプ機構Ｐでは、押下げヘッド１０を、収容容器２の口部２ｂの側に向けて押し下げる押下げ操作を行うことにより、押下げヘッド１０のノズル１０ｃから内容液を吐出することができる。つまり、押下げヘッド１０を、収容容器２の側に向けて下方に押し下げると、これに固定されたステムシャフト８とピストンガイド７とを介してピストン７ａがシリンダ６の内部に向けて押し込まれ、ポンプ機構Ｐがポンプ動作する。そして、ポンプ機構Ｐのポンプ動作により、収容容器２に収容された内容液がシリンダ６から吐出孔１０ｄに向けて圧送される。押し下げ後、押下げヘッド１０から手を離すと、押下げヘッド１０は、シリンダ６内のスプリングにより、ピストンガイド７とともに上方に押し戻されて初期位置に復帰するが、このとき、逆止弁９により、内容液は逆流しない。このような、押下げヘッド１０の押し下げと復帰を繰り返すことにより、収容容器２内に収容された内容液を、押下げヘッド１０に設けられたノズル１０ｄから外部に向けて吐出させることができる。なお、ポンプ機構Ｐにより収容容器２から内容液が吐出されると、その内容液の減少に合わせて中皿３が上昇し、収容容器２の内容液が減っても、当該内容液をポンプ機構Ｐにより圧送可能とされる。中皿３の上昇時には、蓋部材２ｄに設けられた空気孔から、蓋部材２ｄと中皿３との間に空気が流入する。
【００２３】
なお、本実施の形態においては、このポンプ機構Ｐを構成する、装着キャップ４、シリンダ６、ピストンガイド７、ピストン７ａ、ステムシャフト８、押下げヘッド１０は樹脂製としているが、他の材質で形成することもできる。
【００２４】
この液体吐出容器は、収容容器２の外側にカバー機構１２を備えており、不使用時には、このカバー機構１２により押下げヘッド１０の外周を覆って、当該押下げヘッド１０が不意に誤操作されるのを防止することができるようになっている。このカバー機構１２は、樹脂製の内側筒１３、樹脂製のカバー筒１４、付勢部材としてのスプリング１５および保持機構１６とを備えている。なお、内側筒１３とカバー筒１４は樹脂製とされているが、他の材質とすることもできる。
【００２５】
装着キャップ４の外周には、その径方向外側に突出する円板状のフランジ１７が一体に設けられており、このフランジ１７の下面には、その径方向中間部分から垂下する取付け筒１８が一体に設けられている。内側筒１３は、収容容器２と同心円状の円筒状に形成されており、その上端部において取付け筒１８の外周に嵌め込まれ、該上端部をフランジ１７に当接させた状態で、軸方向へのアンダーカット係合により、当該取付け筒１８に固定されている。また、内側筒１３の上端部は、回り止め部１９により、取付け筒１８つまり収容容器２に対して回り止めされている。回り止め部１９としては、例えば、図示のように、内側筒１３の上端部の内周面に沿って周方向に形成した縦リブ（スプライン（溝））と、取付け筒１８の外周面に沿って周方向に形成した縦リブ（スプライン溝（スプライン））との噛み合いによるスプライン嵌合とすることができる。このような構成で容器本体１の装着キャップ４に固定された内側筒１３は、収容容器２の外周側に配置され、収容容器２の口部２ｂと、胴部２ａの上方側の約４分の３程度の範囲とを覆っている。
【００２６】
カバー筒１４は、内側筒１３よりも軸方向寸法が長く、且つ、内側筒１３と同心の略円筒状のカバー本体２０を備えており、このカバー本体２０の上側の約半分は円筒状の上側筒体２０ａとなっており、その下側の約半分は、上側筒体２０ａよりも大径の円筒状の下側筒体２０ｂとなっている。カバー本体２０の上側筒体２０ａの外側には、この上側筒体２０ａの外周面を覆うように、円筒状の上側サブカバー２１が装着されている。上側サブカバー２１の外周面には、環状に凹む凹溝２１ａが形成され、この凹溝２１ａはカバー筒１４を握る際の握り部分となり、また、上下方向への滑り止めとして機能する。
【００２７】
上側サブカバー２１は、上側筒体２０ａに対して、上側筒体２０ａに設けられた凸部２２ａと、上側サブカバー２１に設けられた凹部２２ｂとによるアンダーカット係合により、軸方向に固定される。また、上側サブカバー２１は、回り止め部２３によって、上側筒体２０ａつまりカバー本体２０に対して回り止めされている。この回り止め部２３としては、前述の回り止め部１９と同様に、例えば、図示のように、上側筒体２０ａの側の縦リブ（スプライン（溝））と、上側サブカバー２１の側の縦リブ（スプライン溝（スプライン））との噛み合いによるスプライン嵌合とすることができる。
【００２８】
上側サブカバー２１の上端には、押下げヘッド１０の天面と平行な天面を構成する環状壁２１ｃが設けられている。この環状壁２１ｃは、その内側に押下げヘッド１０のヘッド本体１０ａの形状に対応した円形孔を有する円環状となっており、その外周の一部には、押下げヘッド１０のノズル１０ｃに対応する矩形の凹み部２４が設けられている。この凹み部２４は、環状壁２１ｃに対して下方に垂下する縦壁２４ａと、この縦壁２４ａの下端に連なり、環状壁２１ｃに対してノズル１０ｃの厚み分だけ下方側に離れた突出壁２４ｂとを備えている。突出壁２４ｂは、図１に示すように、押下げヘッド１０のノズル１０ｃの押下げ方向下側を向く面つまり収容容器２の側を向く面に当接している。
【００２９】
スプリング１５は、上側サブカバー２１の突出壁２４ｂと装着キャップ４のフランジ１７との間に装着されている。突出壁２４ｂの内周端には、当該内周端から垂下する円筒状の保持筒２５が一体に設けられ、スプリング１５の上端はこの保持筒２５の外周に配置されて突出壁２４ｂに保持されている。また、装着キャップ４のフランジ１７には上方に向けて突出する円筒状の保持筒２６が一体に設けられ、スプリング１５の下端はこの保持筒２６の内周に配置されて装着キャップ４に保持されている。このように、スプリング１５は装着キャップ４を介して収容容器２に保持され、カバー筒１４を図１中上方に向けて付勢している。
【００３０】
カバー本体２０の下側筒体２０ｂの内側には、円筒状の下側サブカバー２７が装着されている。上側筒体２０ａと下側筒体２０ｂとを連結する連結片２０ｃには、下側筒体２０ｂに対して内周側に離間した円筒状の補助筒２０ｄが一体に設けられており、下側サブカバー２７の上端部は、下側筒体２０ｂと補助筒２０ｄとの間に嵌め込まれている。下側サブカバー２７は、下側筒体２０ｂに対して、下側筒体２０ｂに設けられた凹部２８ａと、下側サブカバー２７に設けられた凸部２８ｂとによるアンダーカット係合により、軸方向に固定されている。また、下側サブカバー２７は、回り止め部２９によって、下側筒体２０ｂつまりカバー本体２０に対して回り止めされている。この回り止め部２９としては、前述の回り止め部１９，２３と同様に、例えば、図示のように、下側筒体２０ｂの側の縦リブ（スプライン（溝））と、下側サブカバー２７の側の縦リブ（スプライン溝（スプライン））との噛み合いによるスプライン嵌合とすることができる。
【００３１】
カバー本体２０の内周面には縦リブ（スプライン（溝））３１が設けられ、この縦リブ３１は、装着キャップ４のフランジ１７の外周面に設けられた縦リブ（スプライン溝（スプライン））３２に噛み合わされている。また、内側筒１３の収容容器２と隣接する部分は、フランジ１７への取り付け部分となる上端側に比べて僅かに大径に形成されており、この大径となる部分の外周面にも、カバー本体２０の内周面に設けられた縦リブ（スプライン（溝））３１と噛み合い可能な縦リブ（スプライン溝（スプライン））３３が設けられている。カバー筒１４は、これらの縦リブ３１，３２，３３の噛み合わせにより、容器本体１に対して回り止めされるとともに、容器本体１つまり内側筒１３に対して、上下方向つまり押下げヘッド１０の押下げ方向に平行な方向に相対移動自在となっている。
【００３２】
また、詳細は図示しないが、押下げヘッド１０は、例えば、保持筒２５との間に周り止め部を設けることにより、カバー筒１４に対して回り止めされ、そのノズル１０ｃの位置がカバー筒１４の凹み部２４の位置に常に合うようにされている。
【００３３】
なお、上記各部材の回り止め部１９，２３，２９や、縦リブ３１、３２，３３は、周方向に複数並べて設けることもできる。
【００３４】
保持機構１６は、カバー機構１２の下端側に設けられる。この保持機構１６は、内側筒１３の下端側に設けられた、保持凸部としての保持爪３４を備えている。保持爪３４は、一辺において内側筒１３に連なる矩形の基板部３５の先端に設けられており、当該基板部３５から径方向外側（外周側）に向けて突出している。この保持爪３４は、その下面３４ａが押下げヘッド１０の押下げ方向に対して垂直な平面に形成されており、その上面３４ｂは、図１中上側から下側に向けて徐々に外側に向けて広がる傾斜面に形成されている。保持爪３４は、基板部３５が弾性変形することにより、カバー筒１４に対して接近離反する方向に移動することができる。
【００３５】
一方、カバー本体２０の下側筒体２０ｂには、保持凹部としての保持孔３６と、ストッパ孔３７とが設けられている。保持孔３６とストッパ孔３７は、それぞれ矩形に形成され、互いに上下方向に離間して設けられている。また、保持孔３６とストッパ孔３７は、カバー筒１４が内側筒１３に対して上下方向に相対移動したときの、保持爪３４の移動経路上に配置されており、また、それぞれ保持爪３４が侵入可能な大きさに形成されている。
【００３６】
図３に示すように、カバー本体２０の下側筒体２０ｂの下端には、当該下端に開口する長方形状の切欠き部３８が形成されている。一方、下側サブカバー２７の下端には、この切欠き部３８に配置される操作片３９が一体に設けられている。操作片３９は、その下端において下側サブカバー２７の下端に連結されており、下側サブカバー２７との隙間を狭める方向に弾性変形可能となっている。また、操作片３９の上端部の内側筒１３の側を向く内面には、内側筒１３の側に向けて突出する突起４０が保持孔３６に対向して一体に設けられている。操作片３９の上端部分を内側筒１３の側に向けた内側に押すことにより、突起４０を保持孔３６に侵入させることができる。
【００３７】
次に、このような構成の液体吐出容器の使用について説明する。
【００３８】
不使用時には、カバー筒１４を、図１に示す閉位置つまり閉状態として、押下げヘッド１０の操作を不能な状態とすることができる。つまり、カバー筒１４が閉位置にあるときには、押下げヘッド１０の天面とカバー筒１４の天面とが同一面状となり、また、押下げヘッド１０の外周がカバー筒１４により覆われることにより、押下げヘッド１０は不用意に押下げられることがない。したがって、カバー筒１４を、閉位置（閉状態）とすることにより、押下げヘッド１０が不意に押されて収容容器２から内容液が吐出されることを防止することができる。なお、カバー筒１４が閉位置にあるときには、押下げヘッド１０のノズル１０ｃの下面がカバー筒１４の突出壁２４ｂに当接しているので、カバー筒１４を手で持った状態では、押下げヘッド１０の天面を下方に向けて押しても、押下げヘッド１０が押下げ操作されることはない。
【００３９】
ここで、カバー筒１４が閉位置にあるときには、収容容器２の下端つまり底部はカバー筒１４の下端から突出して、カバー筒１４により覆われずに露出している。また、カバー筒１４が閉位置にあるときには、内側筒１３の保持爪３４がカバー筒１４のストッパ孔３７に係合して、カバー筒１４は閉位置に保持されている。
【００４０】
次に、この液体吐出容器を使用する際には、図１に矢印で示すように、カバー筒１４を収容容器２に対して、押下げヘッド１０の押下げ方向に平行な方向つまり下方に向けて真っ直ぐに押すことにより、カバー筒１４を開位置にまで移動させることができる。このとき、図４に示すように、ストッパ孔３７に係合していた保持爪３４は、その傾斜する上面３４ｂがストッパ孔３７の縁に当接することにより、ストッパ孔３７から自動的に離脱するので、保持爪３４を操作する必要はない。なお、図４においては、二点鎖線は、移動前の保持爪３４の状態を示す。
【００４１】
カバー筒１４が、図５に示す開位置にまで移動すると、図５、図６に示すように、内側筒１３の保持爪３４の下面３４ａがカバー筒１４の保持孔３６に係合して、カバー筒１４は、スプリング１５のバネ力に抗して、開位置に保持される。カバー筒１４が開位置つまり開状態とされると、カバー筒１４の下端が収容容器２の底部にまで達した状態となり、カバー筒１４により、収容容器２の外周全体が覆われ、カバー筒１４から押下げヘッド１０のみが突出した状態となる。
【００４２】
このように、カバー筒１４が開位置に保持されると、押下げヘッド１０は、カバー筒１４の上方に突出して外部に露出される。これにより、押下げヘッド１０の押下げ操作が可能となり、当該押下げヘッド１０を押下げ操作することにより、そのノズル１０ｃから内容液を吐出させることができる。
【００４３】
ここで、カバー筒体１４が開位置にまで移動すると、カバー筒１４の縦リブ３１が内側筒１３の縦リブ３３に係合するとともに、当該縦リブ３１が縦リブ３３のストローク端に達するので、カバー筒１４が開位置以上に下方へ移動されることが防止される。
【００４４】
次に、この液体吐出容器の使用後には、図５に示す矢印の方向に向けて、操作片３９を内側に押すことにより、カバー筒１４を容易に図１に示す閉位置に復帰させることができる。つまり、操作片３９を内側に向けて押すことにより、図７に示すように、操作片３９に設けた突起４０を保持孔３６に侵入させ、当該保持孔３６に係合していた保持爪３４を保持孔３６から押し出して、保持爪３４と保持孔３６との係合を解除させることができる。なお、図７においては、二点鎖線は、操作片３９を押す前の、当該操作片３９と保持爪３４の状態を示す。保持爪３４の保持孔３６との係合が解除されると、カバー筒１４はスプリング１５のバネ力によって図５中上方に向けて押され、閉位置に自動的に復帰することになる。カバー筒１４が閉位置にまで移動すると、内側筒１３の保持爪３４がカバー筒１４のストッパ孔３７に係合する。これにより、カバー筒１４は、図１に示す閉位置に保持され、押下げヘッド１０は不用意に押下げられることがない閉状態とされる。
【００４５】
このように、本発明の液体吐出容器では、閉位置にあるカバー筒１４を、真っ直ぐに下方に押し下げるだけの簡単な操作で、カバー筒１４を開いて、液体吐出容器を開状態つまり使用状態にすることができる。例えば、一方の手でカバー筒１４を掴み、収容容器２の底部をテーブル等に押し付ければ、片手で簡単にカバー筒１４を開くことができる。また、使用後には、操作片３９を押すだけの簡単な操作で、カバー筒１４を閉状態つまり不使用状態にすることができる。
【００４６】
なお、この液体吐出容器では、収容容器２はリフィル容器となっているので、使用により収容容器２が空になった場合には、空になった収容容器２を装着キャップ４から取り外して、内容液が充填された新たな収容容器２を装着キャップ４に装着することができる。
【００４７】
本発明は前記実施の形態に限定されるものではなく、その要旨を逸脱しない範囲で種々変更可能であることはいうまでもない。
【００４８】
例えば、前記実施の形態においては、ポンプ機構Ｐとして、ＨＶＤタイプのものを用いるようにしているが、これに限らず、液体を吐出させることができるものであれば、泡生成吐出器や噴霧吐出器に構成するポンプ機構などの他のポンプ機構を用いるようにしてもよい。
【００４９】
また、前記実施の形態においては、容器本体１としてポンプ機構Ｐを備えたものを用いるようにしているが、これに限らず、押下げヘッドの押下げにより収容容器から液体を吐出することができるものであれば、例えば、エアゾール等のスプレーなど、他の構造の容器本体１を用いることもできる。
【００５０】
さらに、収容容器２に収容する液体としては、乳液や整髪料等の液体化粧品に限らず、シャンプーやクリーム状のものなど、様々なものを用いることができる。
【００５１】
さらに、前記実施の形態においては、内側筒１３に保持凸部である保持爪３４を設け、カバー筒１４に保持凹部である保持孔３６を設けるようにしているが、内側筒１３に保持凹部である保持孔３６を設け、カバー筒１４に保持凸部である保持爪３４を設けるようにしてもよい。
【００５２】
さらに、保持凹部と保持凸部は、互いに係合してカバー筒１４を内側筒１３に対して開位置に保持させることができるものであれば、保持凸部を爪や突起としたり、保持凹部を溝としたりすることもできる。
【符号の説明】
【００５３】
１：容器本体  ２：収容容器  ２ａ：胴部  ２ｂ：口部  ２ｃ：肩部  ２ｄ：蓋部材
３：中皿  ４：装着キャップ  ４ａ：固定部  ４ｂ：凹部５：シール部材
６：シリンダ  ７：ピストンガイド  ７ａ：ピストン  ８：ステムシャフト  
８ａ：流路  ８ｂ：凸部  ９：逆止弁  １０：押下げヘッド  １０ａ：ヘッド本体
１０ｂ：固定筒  １０ｃ：ノズル  １０ｄ：吐出孔  １１：抜け止め部
１２：カバー機構  １３：内側筒  １４：カバー筒  １５：スプリング（付勢部材）
１６：保持機構  １７：フランジ  １８：取付け筒  １９：回り止め部
２０：カバー本体  ２０ａ：上側筒体  ２０ｂ：下側筒体  ２０ｃ：連結片
２０ｄ：補助筒  ２１：上側サブカバー  ２１ａ：凹溝  ２１ｂ：環状凸部
２１ｃ：環状壁  ２２ａ：凸部  ２２ｂ：凹部  ２３：回り止め部
２４：凹み部  ２４ａ：縦壁  ２４ｂ：突出壁  ２５，２６：保持筒
２７：下側サブカバー  ２８ａ：凹部  ２８ｂ：凸部  ２９：回り止め部
３１，３２，３３：縦リブ  ３４：保持爪（保持凸部）  ３４ａ：下面
３４ｂ：上面  ３５：基板部  ３６：保持孔（保持凹部）  ３７：ストッパ孔
３８：切欠き部  ３９：操作片  ４０：突起  Ｐ：ポンプ機構
【図１】
2014028637.tif 000003
【図２】
2014028637.tif 000004
【図３】
2014028637.tif 000005
【図４】
2014028637.tif 000006
【図５】
2014028637.tif 000007
【図６】
2014028637.tif 000008
【図７】
2014028637.tif 000009